(57)【要約】      （修正有）【課題】各コイルで発生した熱を対物レンズに伝えないように放熱し、対物レンズに生じる温度勾配を制御する対物レンズアクチュエータ及びこれを備える光ピックアップを提供する。【解決手段】対物レンズアクチュエータはレンズホルダを挟んで対向する第１中継部３３１及び第２中継部３３２と、第１中継部３３１及び第２中継部３３２の間に橋架されると共に一部が対物レンズとレンズホルダの間に配される橋架部３３３と、を有する。光ピックアップは上記対物レンズアクチュエータを備える。【選択図】図７
2015035243.tif 000002
【特許請求の範囲】
【請求項１】
対物レンズと、
前記対物レンズを保持するレンズホルダと、
前記レンズホルダに取り付けられるコイルと、
前記コイルに導電する導電基板と、
を備え、
前記導電基板は前記レンズホルダを挟んで対向する第１中継部及び第２中継部と、
第１中継部及び第２中継部の間に橋架されると共に一部が前記対物レンズと前記レンズホルダの間に配される橋架部と、
を有する対物レンズアクチュエータ。
【請求項２】
前記橋架部は第１中継部及び第２中継部を介して伝熱される前記コイルの熱を放熱する第１放熱部及び第２放熱部と、第１放熱部及び第２放熱部に接続されると共に前記対物レンズホルダに接して第１放熱部及び第２放熱部を介して伝熱される前記コイルの熱を前記対物レンズに伝熱する伝熱部と、を備える請求項１に記載の対物レンズアクチュエータ。
【請求項３】
第１中継部と第１放熱部との接続部及び第２中継部と第２放熱部との接続部を第１放熱部及び第２放熱部よりも細く形成した請求項２に記載の対物レンズアクチュエータ。
【請求項４】
第１放熱部及び第２放熱部と前記伝熱部との接続部を第１放熱部及び第２放熱部よりも細く形成した請求項２又は請求項３に記載の対物レンズアクチュエータ。
【請求項５】
前記伝熱部は円環状に形成されて前記対物レンズの周縁部と接する請求項１〜請求項４のいずれか１項に記載の対物レンズアクチュエータ。
【請求項６】
請求項１〜請求項５のいずれか１項に記載の対物レンズアクチュエータを備える光ピックアップ。
【発明の詳細な説明】
【技術分野】
【０００１】
本発明は、対物レンズアクチュエータ及びこれを備える光ピックアップに関する。
【背景技術】
【０００２】
光ピックアップはＢｌｕ−ｒａｙ Ｄｉｓｃ（登録商標）やＤＶＤなどの光ディスクから情報を読み取ったり、光ディスクに情報を書き込んだりする際に利用される。光ピックアップは一般に、ピックアップベース、光源、対物レンズアクチュエータを備える。対物レンズアクチュエータはピックアップベースの内部に配置されるアクチュエータベース、光源から出射される光を光ディスクの情報記録面に集光する対物レンズ、対物レンズを保持するレンズホルダを備える。光ピックアップは対物レンズが集光した光で情報を読み取り、また対物レンズが集光した光で情報を書き込む。
【０００３】
光ピックアップは光ディスクで反射した光を読み取って出力する電気信号を最も適正な値で得ることができるよう、対物レンズを適正な位置に調整する必要がある。そこで対物レンズは少なくともフォーカス方向、ラジアル方向及びタンジェンシャル方向に移動可能に構成される。なお、フォーカス方向とは光ディスクの情報記録面に対して垂直な方向である。ラジアル方向とは光ディスクの半径方向であり、トラッキング方向と称されることもある。タンジェンシャル方向とは光ディスクの情報トラックの接線と平行な方向である。
【０００４】
対物レンズを保持するレンズホルダは弾性を有する複数のワイヤによってアクチュエータベースに対して揺動可能に支持されている。このようなレンズホルダはフォーカス用コイル、トラッキング用コイル、チルト用コイル及び導電基板を備え、各ワイヤの一端は導電基板に半田付けにて固定され、導電基板を介して各コイルに電気的に接続される。
【０００５】
各ワイヤはレンズホルダの駆動に応じて振動が生じるため振動を抑制するために各ワイヤの他端はゲル材が充填されたゲルホルダに挿通された上でゲルホルダに取り付けられた配線基板に半田付けにて固定される。当該構成により各ワイヤ及び導電基板を介して配線基板から各コイルに電流が供給される。
【０００６】
ところで各コイルに電流が供給されると各コイルが発熱するためその熱がレンズホルダを介して対物レンズに伝わり、対物レンズに急な温度勾配が生じるという問題がある。対物レンズに急な温度勾配が生じると対物レンズが変形して光学収差が発生し、記録品質・再生品質の悪化に繋がる恐れがある。よって従来より各コイルで発生した熱を放熱することで対物レンズへの伝熱を防ぐ構成が種々提案されている（例えば特許文献１）。
【先行技術文献】
【特許文献】
【０００７】
【特許文献１】特許第４００２０８４号公報
【発明の概要】
【発明が解決しようとする課題】
【０００８】
しかしながら光ピックアップはそれ自体が極めて小さな部品であり、各コイルで発生した熱を対物レンズに伝えないように放熱することは困難であった。そして、放熱しきれなかった熱が対物レンズに伝わることで対物レンズに急な温度勾配が生じていた。
【０００９】
本発明は上述した問題点に鑑み、対物レンズに生じる温度勾配を制御する対物レンズアクチュエータ及びこれを備える光ピックアップを提供すること目的とする。
【課題を解決するための手段】
【００１０】
上記目的を達成するために本発明の対物レンズアクチュエータは、対物レンズと、前記対物レンズを保持するレンズホルダと、前記レンズホルダに取り付けられるコイルと、前記コイルに導電する導電基板と、を備え、前記導電基板は前記レンズホルダを挟んで対向する第１中継部及び第２中継部と、第１中継部及び第２中継部の間に橋架されると共に一部が前記対物レンズと前記レンズホルダの間に配される橋架部と、を有することを特徴としている。
【００１１】
また上記構成の対物レンズアクチュエータにおいて、前記橋架部は第１中継部及び第２中継部を介して伝熱される前記コイルの熱を放熱する第１放熱部及び第２放熱部と、第１放熱部及び第２放熱部が接続されると共に前記対物レンズホルダに接して第１放熱部及び第２放熱部を介して伝熱される前記コイルの熱を前記対物レンズに伝熱する伝熱部と、を備えることが望ましい。
【００１２】
また上記構成の対物レンズアクチュエータにおいて、第１中継部と第１放熱部との接続部及び第２中継部と第２放熱部との接続部を第１放熱部及び第２放熱部よりも細く形成したことが望ましい。
【００１３】
また上記構成の対物レンズアクチュエータにおいて、第１放熱部及び第２放熱部と前記伝熱部との接続部を第１放熱部及び第２放熱部よりも細く形成したことが望ましい。
【００１４】
また上記構成の対物レンズアクチュエータにおいて、前記伝熱部は円環状に形成されて前記対物レンズの周縁部と接することが望ましい。
【００１５】
上記目的を達成するために本発明の光ピックアップは上記対物レンズアクチュエータを備えることを特徴としている。
【発明の効果】
【００１６】
本発明によれば、各コイルが発熱すると導電基板が有する第１中継部及び第２中継部に熱が伝わる。第１中継部及び第２中継部に伝わった熱はさらに導電基板が有する、第１中継部と第２中継部との間に橋架される橋架部に伝わる。橋架部の一部は対物レンズとレンズホルダの間に配されるので、橋架部に伝わった熱はその部分から対物レンズに伝熱される。当該構成により各コイルで発生した熱は急な温度勾配が発生しないように制御されながら対物レンズに伝熱されるので、急な温度勾配による対物レンズの変形が防がれる。
【図面の簡単な説明】
【００１７】
【図１】光ピックアップの構成を示す上面図
【図２】光ピックアップの光学系の構成を示す概略構成図
【図３】対物レンズアクチュエータの構成を示す上面図
【図４】対物レンズアクチュエータの構成を示す正面図
【図５】対物レンズアクチュエータの構成を示す左側面図
【図６】対物レンズアクチュエータの構成を示す右側面図
【図７】第１実施形態の導電基板の構成を示す斜視図
【図８】第１実施形態の導電基板の構成を示す上面図
【図９】第１実施形態の導電基板の構成を示す右側面図
【図１０】第３実施形態の導電基板の構成を示す上面図
【図１１】第４実施形態の導電基板の構成を示す上面図
【発明を実施するための形態】
【００１８】
＜第１実施形態＞
以下に本発明の対物レンズアクチュエータ及び光ピックアップについて図面を参照して説明する。なお、以下に示す実施形態は、本発明の技術的思想を具体化するために対物レンズアクチュエータ及び光ピックアップの一例を示すものであって、本発明をこの対物レンズアクチュエータ及び光ピックアップに特定することを意図するものではなく、特許請求の範囲に含まれるその他の実施形態の対物レンズアクチュエータ及び光ピックアップにも等しく適応し得るものである。
【００１９】
なお、本明細書では図１及び図３〜図６に示すＸＹＺ座標で、Ｘ軸方向を左右、Ｙ軸方向を前後、Ｚ軸方向を上下とする。詳細には、図１の紙面に対して右手側を右側、左手側を左側とする。また、図１の紙面に対して上側を背面側、下側を正面側とする。また、図１の紙面に対して手前側を上面側、奥側を下面側とする。なお、Ｘ軸方向、Ｙ軸方向、Ｚ軸方向は夫々タンジェンシャル方向、ラジアル方向、フォーカス方向と言い換えることができる。
【００２０】
図１は光ピックアップ１の構成を示す上面図である。図２は光ピックアップ１の光学系の構成を示す概略構成図である。光ピックアップ１は合成樹脂製のピックアップベース２、ピックアップベース２の内部に配置される対物レンズアクチュエータ３を備える。
【００２１】
ピックアップベース２の右端には２個の軸受部２ａ、２ｂが互いに間隔を置く形で形成され、ピックアップベース２の左端には１個の軸受部２ｃが形成される。光ディスク装置内には２本の水平なガイドシャフトＧＳが互いに間隔を置き且つ平行する形で配置されている。一方のガイドシャフトＧＳは軸受部２ａ、２ｂを支持し、他方のガイドシャフトＧＳは軸受部２ｃを支持する。ピックアップベース２には図示しないモータの駆動力が伝えられ、ピックアップベース２は２本のガイドシャフトＧＳによりガイドシャフトＧＳの軸線方向、言い換えるとＹ軸方向に摺動可能に支持される。
【００２２】
対物レンズアクチュエータ３上には光ピックアップ１の光学系を構成する部材が搭載される。以下、光ピックアップ１の光学系について詳説する。本実施形態の光ピックアップ１は、ＢＤ、ＤＶＤ、及びＣＤに対して情報の読み取りと情報の書き込みを可能に設けられている。
【００２３】
光ピックアップ１は２種類の光学系を備える。このうちの一方はＢＤ用の光学系であり、他方はＤＶＤ及びＣＤ（ＤＶＤ／ＣＤ）用の光学系である。この２種類の光学系は、光ピックアップ１によって情報の読み取りや書き込みが行われる光ディスクＤの種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２４】
ＢＤ用の光学系は、第１レーザダイオード１１、回折素子１２、偏光ビームスプリッタ１３、第１コリメートレンズ１４、１／４波長板１５、第１立ち上げミラー１６、第１対物レンズ１７、第１シリンドリカルレンズ１８及び第１フォトディテクタ１９を備える。
【００２５】
第１レーザダイオード１１は波長４０５ｎｍ帯の光ビーム（レーザ光）を出射する光源である。第１レーザダイオード１１から出射された光ビームは、回折素子１２によって主ビームと２つの副ビームとに分けられる。回折素子１２から出射した光ビームは、偏光ビームスプリッタ１３で反射され、第１コリメートレンズ１４に送られる。
【００２６】
第１コリメートレンズ１４は図示しない駆動手段によって光軸方向（図２に示す矢印の方向）に移動可能となっており、その位置によって、第１対物レンズ１７に入射する光ビームの収束発散状態を変化させる。このような構成とするのは、球面収差の補正を行えるようにするためである。
【００２７】
第１コリメートレンズ１４から出射された光ビーム（平行光）は、偏光ビームスプリッタ１３と協働して光アイソレータとして機能する１／４波長板１５を通過し、第１立ち上げミラー１６によって反射されて第１対物レンズ１７に入射する。第１対物レンズ１７は入射した光ビームを光ディスクＤの情報記録面Ｄｒに集光する。
【００２８】
光ディスクＤで反射された光ビームは第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過した光ビームは、非点収差を補正する機能を有する第１シリンドリカルレンズ１８を透過して、第１フォトディテクタ１９の受光面に集光される。第１フォトディテクタ１９は入射した光信号を電気信号に変換して出力する。ここで出力された電気信号は図示しない信号処理部で処理されて、再生信号や、フォーカスエラー信号や、トラッキングエラー信号等となる。
【００２９】
次に、ＤＶＤ／ＣＤ用の光学系について説明する。ＤＶＤ／ＣＤ用の光学系は、第２レーザダイオード２１、ハーフミラー２２、第２コリメートレンズ２３、第２立ち上げミラー２４、第２対物レンズ２５、第２シリンドリカルレンズ２６及び第２フォトディテクタ２７を備える。
【００３０】
第２レーザダイオード２１は波長６５０ｎｍ帯の光ビームと、波長７８０ｎｍ帯の光ビームと、を切り換えて出射できる２波長レーザである。第２レーザダイオード２１から出射された光ビームはハーフミラー２２で反射されて第２コリメートレンズ２３に送られ、平行光に変換される。
【００３１】
第２コリメートレンズ２３から出射された光ビーム（平行光）は第２立ち上げミラー２４で反射され、第２対物レンズ２５に入射し、光ディスクＤの記録面Ｄｒに集光される。
【００３２】
光ディスクＤで反射された光ビームは第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光される。第２フォトディテクタ２７は入射した光信号を電気信号に変換して出力する。ここで出力された電気信号は図示しない信号処理部によって処理されて、再生信号や、フォーカスエラー信号や、トラッキングエラー信号等となる。
【００３３】
第１対物レンズ１７と第２対物レンズ２５とは対物レンズアクチュエータ３（詳細は後述）によって、フォーカス方向、ラジアル方向、チルト方向に移動せしめられる。これにより、光ピックアップ１におけるフォーカシング制御、トラッキング制御、チルト制御が可能となっている。
【００３４】
以下さらに図３〜図６も参照して対物レンズアクチュエータ３について詳説する。図３は対物レンズアクチュエータ３の構成を示す上面図である。図４は対物レンズアクチュエータ３の構成を示す正面図である。図５は対物レンズアクチュエータ３の構成を示す左側面図である。図６は対物レンズアクチュエータ３の構成を示す右側面図である。
【００３５】
対物レンズアクチュエータ３はピックアップベース２の内部に配置される強磁性のアクチュエータベース３１、第１対物レンズ１７及び第２対物レンズ２５を保持するレンズホルダ３２、導電基板３３、永久磁石３４、ゲルホルダ（固定部材）３５、配線基板３６、及び、ワイヤ（棒状弾性支持部材）３７を備える。
【００３６】
アクチュエータベース３１には、そのほぼ中央に光ビームを通過させる貫通孔（図示せず）が形成されている。そして、この貫通孔の上にレンズホルダ３２が配置される構成となっている。なお、本実施形態では第１対物レンズ１７及び第２対物レンズ２５をタンジェンシャル方向に配置する構成としているがこれに限られるものではない。例えば第１対物レンズ１７及び第２対物レンズ２５をラジアル方向に配置する構成等としてもよい。
【００３７】
レンズホルダ３２は、液晶ポリマ（ＬＣＰ）等の樹脂によって形成され、対物レンズ１７、２５を保持する。本実施形態においては、光ピックアップ１が２つの対物レンズ１７、２５を有する構成となっているために、レンズホルダ３２には２つの対物レンズ１７、２５を保持できるように２つの保持部（図示せず）が設けられる。２つの保持部はそれぞれ光ビームを通過させる光路孔（図示せず）と繋がっており、これにより第１レーザダイオード１１からの光ビームが第１対物レンズ１７を、第２レーザダイオード２１からの光ビームが第２対物レンズ２５を通過するようになっている。
【００３８】
レンズホルダ３２の壁面にフォーカスコイル、トラッキングコイル、チルトコイルは永久磁石３４に対向するように取り付けられている。各コイルはいずれも略矩形状に巻回され、ワイヤ３７及び導電基板３３を介して配線基板３６から電流が供給される。レンズホルダ３２の内壁には内壁に沿ってフォーカスコイル（図示せず）が配置される。また、レンズホルダ３２の外壁（永久磁石３４に対向する側壁）には、トラッキングコイル（図示せず）がそれぞれ一本ずつ接着剤等で貼り付けられている。また、レンズホルダ３２の内部であってフォーカスコイルの下部側にはラジアル方向に対称配置されるチルトコイルが取り付けられている。各コイルはいずれも略矩形状に巻回され、ワイヤ３７及び導電基板３３を介して配線基板３６から電流が供給される。
【００３９】
導電基板３３はフレキシブルプリント基板であり、各コイルに配線基板３６から供給された電流を供給する。ここで図７〜図９を参照して導電基板３３について詳説する。導電基板３３はレンズホルダ３２の正面及び背面に取り付けられて、レンズホルダ３２を挟んでラジアル方向に対向配置される第１中継部３３１及び第２中継部３３２を備える。第１中継部３３１及び第２中継部３３２は配線パターンが形成されており、上段の２本のワイヤ３７は第１中継部３３１及び第２中継部３３２を介してフォーカスコイルに電気的に接続される。また、中段の２本のワイヤ３７は第１中継部３３１及び第２中継部３３２を介してトラッキングコイルに電気的に接続される。また、下段の２本のワイヤ３７は第１中継部３３１及び第２中継部３３２を介してチルトコイルに電気的に接続される。
【００４０】
導電基板３３はさらに、第１中継部３３１及び第２中継部３３２の間に橋架される橋架部３３３を備える。橋架部３３３はレンズホルダ３２の上面側の一部を覆うように設けられる。橋架部３３３は一端が第１中継部３３１に熱的に接続される第１放熱部３３４、一端が第２中継部３３２に熱的に接続される第２放熱部３３５、両端に第１放熱部３３４及び第２放熱部３３５が熱的に接続される伝熱部３３６を備える。
【００４１】
第１放熱部３３４は第１中継部３３１の上端部から第１折曲部３３７を介して第２中継部３３２に向かって略９０度折り曲げられる上面視略台形状の第１板部３３８と、第１板部３３８の端部（第１折曲部３３７の反対側の端部）から第２折曲部３３９を介して上方に向かって略９０度折り曲げられる正面視略矩形状の第２板部３４０とを備える。第１折曲部３３７の横幅（左右方向の長さ）が第２折曲部３３９の横幅よりも短く形成されることにより、第１板部３３８が上面視略台形状となる。
【００４２】
第１折曲部３３７の横幅の長さを第１放熱部３３４よりも短く（細く）形成することにより第１中継部３３１から第１板部３３８に伝熱される熱量を制限することができる。また、第２折曲部３３９の横幅を第１折曲部３３７よりも広く（太く）形成して第１板部３３８及び第２板部３４０の表面積を大きくすることで各板部からの放熱量を大きくして伝熱部３３６に伝熱される熱量を少なくすることができる。
【００４３】
第２放熱部３３５は第２中継部３３２の上端部から第３折曲部３４１を介して第２中継部３３２に向かって略９０度折り曲げられる上面視略台形状の第３板部３４２と、第３板部３４２の端部（第３折曲部３４１の反対側の端部）から第４折曲部３４３を介して上方に向かって略９０度折り曲げられる背面視略矩形状の第４板部３４４とを備える。第３折曲部３４１の横幅（左右方向の長さ）が第４折曲部３４３の横幅よりも短く形成されることにより、第３板部３４２が上面視略台形状となる。
【００４４】
第３折曲部３４１の横幅の長さを第２放熱部３３５よりも短く（細く）形成することにより第２中継部３３２から第３板部３４２に伝熱される熱量を制限することができる。また、第４折曲部３４３の横幅を第３折曲部３４１よりも広く（太く）形成して第３板部３４２及び第４板部３４４の表面積を大きくすることで各板部からの放熱量を大きくして伝熱部３３６に伝熱される熱量を少なくすることができる。
【００４５】
第２板部３４０及び第４板部３４４の上端部には夫々側面視略逆Ｕ字状の第５折曲部３４５及び第６折曲部３４６が形成されて伝熱部３３６に熱的に接続される。第５折曲部３４５及び第６折曲部３４６はアクチュエータベース３１に対して伝熱部３３６を第２板部３４０及び第４板部３４４の上端部よりも低い位置で保持する形状に形成される。第５折曲部３４５及び第６折曲部３４６も第１折曲部３３７及び第３折曲部３４１と同様に横幅の長さが第１放熱部３３４及び第２放熱部３３５よりも細く形成されることで第２板部３４０及び第４板部３４４から伝熱部３３６に伝熱される熱量を制限することができる。
【００４６】
伝熱部３３６は円環状に形成されて対物レンズ２５とレンズホルダ３２の間に配されて、対物レンズ２５の下面の周縁部に接触して各部を介して伝熱部３３６に伝わった各コイルから発生した熱を対物レンズ２５に伝熱する。なお、橋架部３３３の表面には銅箔が備えられて効率的に放熱及び伝熱が行われる。
【００４７】
図３〜図６に戻ってワイヤ３７は導電性を有する弾性部材である。レンズホルダ３２はワイヤ３７によってアクチュエータベース３１に対して揺動可能に支持されている。ワイヤ３７はレンズホルダ３２を挟んで第１中継部３４１側及び第２中継部３４２側に夫々略平行に３本ずつ合計６本設けられる。各ワイヤ３７の一端は第１中継部３４１又は第２中継部３４２に半田付けにて固定されて各コイルと電気的に接続される。また、各ワイヤ３７の他端はゲルホルダ３５内を通過してゲルホルダ３５に取り付けられる配線基板３６に半田付けにて固定される。当該構成により配線基板３６と各コイルとが電気的に接続される。
【００４８】
一対の永久磁石３４はアクチュエータベース３１上に、レンズホルダ３２を挟むようにタンジェンタル方向に対称配置される。なお、永久磁石３４によって作られる磁束を効率よく利用するためにアクチュエータベース３１の一部を折り曲げてヨーク３１０が形成される。一対のヨーク３１０は夫々一対の永久磁石３４の外面側に対向するように形成され、ヨーク３１０が永久磁石３４の外面側に磁着される。
【００４９】
なお、ヨーク３１０のうちゲルホルダ３５側に形成されるヨーク３１０（以降の説明及び図面等において「ゲルホルダ３５側に形成されるヨーク３１０」を「ヨーク３１０ａ」と称する。）は上述したようにベース３１の中央に貫通孔を形成する際に、ベース３１において刳り貫かれる部分（刳り貫き部）の全部又は一部を折り曲げることによって形成される。他方のヨーク３１０（以降の説明及び図面等において「他方のヨーク３１０」すなわち「ヨーク３１０のうちヨーク３１０ａではないヨーク３１０」を「ヨーク３１０ｂ」と称する。）はアクチュエータベース３１の端部の全部又は一部を折り曲げることによって形成される。
【００５０】
ポリカーボネート等の樹脂成形品から成るゲルホルダ３５は、ヨーク３１０ａの外面側（ヨーク３１０ａにおいて、レンズホルダ３２及び永久磁石３４に対向する側の反対側）に配置される。ゲルホルダ３５には、シリコンを主成分とするゲル材が充填される。このゲル材は、低粘度のゲル材（ゾル）がゲルホルダ３５に注入された後、所定時間の紫外線照射によってゲル状に硬化したものである。ゲルホルダ３５には複数の貫通孔（図示せず）が設けられており、各貫通孔に各ワイヤ３７が挿通されることによってレンズホルダ３２の駆動に伴うワイヤ３７の振動が減衰される。
【００５１】
配線基板３６は、ゲルホルダ３５の外側面（ゲルホルダ３５において、ヨーク３１０に対向する面の反対側の面）に固定配置される。配線基板３６は光ピックアップ１全体を制御する制御部からの信号を受信して、各ワイヤ３７及び導電基板３３を介して各コイルに電流を供給する基板である。
【００５２】
ゲルホルダ３５に対する配線基板３６の固定は、熱硬化性の接着剤を用いて行われる。ただし、接着剤による固定に加えてビス止めを行ったり、半田による固定を行ったりしても構わない。
【００５３】
本実施形態によれば、各コイルが発熱すると導電基板が有する第１中継部及び第２中継部に熱が伝わる。第１中継部及び第２中継部に伝わった熱はさらに導電基板が有する、第１中継部と第２中継部との間に橋架される橋架部に伝わる。橋架部の一部は対物レンズとレンズホルダの間に配されるので、橋架部に伝わった熱はその部分から対物レンズに伝熱される。当該構成により各コイルで発生した熱は急な温度勾配が発生しないように制御されながら対物レンズに伝熱されるので、急な温度勾配による対物レンズの変形が防がれる。
【００５４】
＜第２実施形態＞
上記第１実施形態で導電基板３３は、第１中継部３３１及び第２中継部３３２の上端部の対物レンズ２５に対応する位置に橋架部３３３を有し、橋架部３３３の伝熱部３３６を対物レンズ２５とレンズホルダ３２との間に配して各コイルで発熱した熱を対物レンズ２５に伝熱する構成とした。しかしながら当該構成に限られるものではなく各コイルで発熱した熱を対物レンズ１９に伝熱する構成としてもよい。
【００５５】
すなわち本実施形態において橋架部３３３は第１中継部３３１及び第２中継部３３２の上端部の対物レンズ１９に対応する位置に設けられて伝熱部３３６が対物レンズ１９とレンズホルダ３２との間に配される。
【００５６】
本実施形態によれば第１実施形態と同様の効果を奏する。
【００５７】
＜第３実施形態＞
上記第１実施形態及び第２実施形態で導電基板３３は、第１中継部３３１及び第２中継部３３２の上端部の対物レンズ２５又は対物レンズ１９に対応する位置に橋架部３３３を有し、橋架部３３３の伝熱部３３６を対物レンズ２５又は対物レンズ１９とレンズホルダ３２との間に配して各コイルで発熱した熱を対物レンズ２５に伝熱する構成とした。しかしながら各コイルで発熱した熱を対物レンズ１９及び対物レンズ２５に伝熱する構成としてもよい。
【００５８】
本実施形態において橋架部３３３は図１０に示すように、第１中継部３３１及び第２中継部３３２の上端部の対物レンズ２５及び対物レンズ１９に対応する位置に設けられる。一方の橋架部３３３が備える伝熱部３３６は対物レンズ２５とレンズホルダ３２との間に配され、他方の橋架部３３３が備える伝熱部３３６は対物レンズ１９とレンズホルダ３２との間に配される。
【００５９】
なお、本実施形態では橋架部３３３同士がレンズホルダ３２の上面側で熱的に接続されない構成となっているが、橋架部３３３の少なくとも一部同士が熱的に接続される構成としてもよい。
【００６０】
本実施形態によれば第１実施形態と同様の効果を奏する。
【００６１】
＜第４実施形態＞
上記第１実施形態〜第３実施形態では第１中継部３３１と第２中継部３３２とがレンズホルダ３２を挟んでラジアル方向に対向配置されることとしたがこれに限られるものではなく、レンズホルダ３２の両側面（左側面及び右側面）に取り付けられてレンズホルダ３２を挟んでタンジェンシャル方向に対向配置されることとしてもよい。
【００６２】
導電基板３３は図１１に示すように、第１中継部３３１の上端中央部から第２中継部３３２の間に橋架される橋架部３４７を備える。橋架部３４７は一端が第１中継部３３１に熱的に接続される第１放熱部３４８、一端が第２中継部３３２に熱的に接続される第２放熱部３４９、第１放熱部３４８の他端に熱的に接続される第１伝熱部３５０、第２放熱部３４９の他端に熱的に接続される第２伝熱部３５１を備える。
【００６３】
第１放熱部３４８は第１中継部３３１の上端部から第１折曲部３５２を介して第２中継部３３２に向かって略９０度折り曲げられる上面視略台形状の第１板部３５３と、第１板部３５３の端部（第１折曲部３５２の反対側の端部）から第２折曲部３５４を介して上方に向かって略９０度折り曲げられる側面視略矩形状の第２板部３５５とを備える。第１折曲部３５２の横幅（前後方向の長さ）が第２折曲部３５４の横幅よりも短く形成されることにより、第１板部３５３が上面視略台形状となる。
【００６４】
第１折曲部３５２の横幅の長さを第１放熱部３４８よりも短く（細く）形成することにより第１中継部３３１から第１板部３５３に伝熱される熱量を制限することができる。また、第２折曲部３５４の横幅を第１折曲部３５２よりも広く（太く）形成して第１板部３５３及び第２板部３５５の表面積を大きくすることで各板部からの放熱量を大きくして第１伝熱部３５０に伝熱される熱量を少なくすることができる。
【００６５】
第２放熱部３４９は第２中継部３３２の上端部から第３折曲部３５６を介して第１中継部３３１に向かって略９０度折り曲げられる上面視略台形状の第３板部３５７と、第３板部３５７の端部（第３折曲部３５６の反対側の端部）から第４折曲部３５８を介して上方に向かって略９０度折り曲げられる側面視略矩形状の第４板部３５９とを備える。第３折曲部３５６の横幅（前後方向の長さ）が第４折曲部３５８の横幅よりも短く形成されることにより、第３板部３５７が上面視略台形状となる。
【００６６】
第３折曲部３５６の横幅の長さを第２放熱部３４９よりも短く（細く）形成することにより第２中継部３３２から第３板部３５７に伝熱される熱量を制限することができる。また、第４折曲部３５８の横幅を第３折曲部３５６よりも広く形成して第３板部３５７及び第４板部３５９の表面積を大きくすることで各板部からの放熱量を大きくして第２伝熱部３５１に伝熱される熱量を少なくすることができる。
【００６７】
第２板部３５５及び第４板部３５９の上端部には夫々側面視略逆Ｕ字状の第５折曲部３６０及び第６折曲部３６１が形成されて第１伝熱部３５０及び第２伝熱部３５１に熱的に接続される。第５折曲部３６０及び第６折曲部３６１は夫々アクチュエータベース３１に対して第１伝熱部３５０及び第２伝熱部３５１を第２板部３５５及び第４板部３５９の上端部よりも低い位置で保持する形状に形成される。第５折曲部３６０及び第６折曲部３６１も第１折曲部３５２及び第３折曲部３５６と同様に横幅の長さが第１放熱部３４８及び第２放熱部３４９よりも細く形成されることで第２板部３５５及び第４板部３５９から第１伝熱部３５０及び第２伝熱部３５１に伝熱される熱量を制限することができる。
【００６８】
第１伝熱部３５０及び第２伝熱部３５１は接続部３６２によって熱的に接続される。なお、本実施形態において橋架部３４７には配線パターンが形成されており、第１中継部３３１と第２中継部３３２とを電気的に接続する。これにより、ワイヤ３７を介して第１中継部３３１に入力された制御信号が橋架部３４７を介して第２中継部３３２にも入力される。
【００６９】
第１伝熱部３５０及び第２伝熱部３５１は円環状に形成されて夫々対物レンズ１７とレンズホルダ３２の間、及び、対物レンズ２５とレンズホルダ３２の間に配されて、対物レンズ１７及び対物レンズ２５の下面の周縁部に接触する。各コイルで発生した熱は各部を介して第１伝熱部３５０及び第２伝熱部３５１に伝わり、第１伝熱部３５０及び第２伝熱部３５１から対物レンズ１７及び対物レンズ２５に伝熱される。
【００７０】
本実施形態によれば、導電基板をレンズホルダの両側面に取り付けた上で、第１実施形態と同様の効果を奏する。
【００７１】
なお、本実施形態では各コイルで発生した熱を対物レンズ１７及び対物レンズ２５に伝熱する構成としたが、第１実施形態や第２実施形態と同様に、いずれか一方の対物レンズに伝熱する構成としてもよい。
【符号の説明】
【００７２】
１        光ピックアップ
２        ピックアップベース
３        対物レンズアクチュエータ
１１      第１レーザダイオード
１２      回折素子
１３      偏光ビームスプリッタ
１４      第１コリメートレンズ
１５      １／４波長板
１６      第１立ち上げミラー
１７      第１対物レンズ
１８      第１シリンドリカルレンズ
１９      第１フォトディテクタ
２１      第２レーザダイオード
２２      ハーフミラー
２３      第２コリメートレンズ
２４      第２立ち上げミラー
２５      第２対物レンズ
２６      第２シリンドリカルレンズ
２７      第２フォトディテクタ
３１      アクチュエータベース
３２      レンズホルダ
３３      導電基板
３４      永久磁石
３５      ゲルホルダ
３６      配線基板
３７      ワイヤ
３１０ａ、３１０ｂ      ヨーク
３３１      第１中継部
３３２      第２中継部
３３３      橋架部
３３４      第１放熱部
３３５      第２放熱部
３３６      伝熱部
【図１】
2015035243.tif 000003
【図２】
2015035243.tif 000004
【図３】
2015035243.tif 000005
【図４】
2015035243.tif 000006
【図５】
2015035243.tif 000007
【図６】
2015035243.tif 000008
【図７】
2015035243.tif 000009
【図８】
2015035243.tif 000010
【図９】
2015035243.tif 000011
【図１０】
2015035243.tif 000012
【図１１】
2015035243.tif 000013